(57)【特許請求の範囲】
【請求項１】
硬質ないし半硬質のデータ媒体とデータ交換のための装置との間でデータを交換するための自動車用装置であって、
前記自動車用装置は、カードの形態の媒体を手動で挿入するハウジングを有するユニットを備え、該ハウジング内では、前記媒体は所定のアクティーブ位置にあり、
前記自動車用装置は、媒体をユニット内の長手方向に沿ってアクティーブ位置に保持するための手段を有し、
前記保持手段は、媒体を固定するためのレバーと、前記媒体を固定する角度位置に固定レバーをロックするようになっている電磁石とを備え、
前記電磁石の可動コアプランジャーは、第１の自由端を介して、ロックフィンガーを構成し、前記電磁石は、該ロックフィンガーを本体から突出させて、固定レバーの一部に対向するように伸長させ、固定レバーが固定位置からデータ媒体をユニットから取り出すことができる後退位置へ回転しないように防止し、
前記自動車用装置は、固定レバーを手動でアンロックするための部材を備え、前記部材によるアンロックが、電磁石の可動コアプランジャーに作用して、ロックフィンガーを後退させ、よって、固定レバーを解放するようになっており、
前記アンロック部材は、ユニットの軸を中心として休止位置からアンロック位置へと枢動できるように取り付けられたアンロックレバーとなっており、
前記アンロックレバーは、休止位置に弾性的に復帰するようになっていることを特徴とする自動車用装置。
【請求項２】
前記アンロックレバーは、ラジアル作動アームを含み、この作動アームの自由端に手動で作用させ、可動プランジャーが自由に移動できる休止位置から、アンロック位置へアンロックレバーを回転させることができ、前記アンロック部材が、ラジアルアンロックアームを備え、アンロックレバーが、休止位置からアンロック位置まで枢動したときに、可動コアプランジャーを移動させるように、このアンロックアームの自由端が、電磁石の可動コアプランジャーの一部と協働できるようになっていることを特徴とする、請求項１記載の自動車用装置。
【請求項３】
アンロックレバーが復帰アームを含み、アンロックレバーが、その休止位置からアンロック位置に枢動するときに、前記復帰アームが弾性的に屈曲でき、その自由端が、ユニットに固定されていることを特徴とする、請求項２に記載の自動車用装置。
【請求項４】
アンロックレバーの軸に対して直交する方向に、ユニットに対してスライドできるように取り付けられたアンロックプッシュロッドを備え、アンロックプッシュロッドの自由端が、作動アームの自由端と協働し、アンロックプッシュロッドの第２端部によって、プッシュロッドに手動で作用させることができるようになっていることを特徴とする、請求項２又は３のいずれかに記載の自動車用装置。
【請求項５】
アンロックプッシュロッドの第１端部が、作動アームの自由端に接続されており、前記作動アームが、関節接続ヒンジを形成する可撓性接続タブによって、アンロックレバーを作動させるようになっていることを特徴とする、請求項４のいずれかに記載の自動車
用装置。
【請求項６】
前記アンロックプッシュロッドが、その自由端の近くにストッパー手段を含み、該ストッパー手段が、作動アームに属す対向する部分と協働して、固定レバーをアンロックする方向へのプッシュロッドのアクティーブな走行を制限するようになっていることを特徴とする、請求項４又は５のいずれかに記載の自動車用装置。
【請求項７】
レバーとアンロックプッシュロッドとが、プラスチック成形品により、単一の一体的な部品に形成されていることを特徴とする、請求項４〜６のいずれかに記載の自動車用装置。
【請求項８】
アンロックアームの自由端が、電磁石の可動コアプランジャーの第２自由端に形成されたストッパーと協働するようになっていることを特徴とする、請求項２〜７のいずれかに記載の自動車用装置。
【請求項９】
アンロックアームが、電磁石の可動コアの運動軸にほぼ直角の方向に延びており、かつ作動アームが、運動軸とほぼ平行であることを特徴とする、請求項２〜９のいずれかに記載の自動車用装置。
【請求項１０】
固定レバーの軸は、データ媒体の長手方向に沿う挿入方向の存在する平面に平行であり、また、固定レバーの軸は、電磁石の可動コアプランジャーが移動する方向にも平行であり、アンロックレバーの軸は、前記平面に対して直角である、請求項１〜９のいずれかに記載の自動車用装置。
【請求項１１】
固定レバーの軸が、データ媒体の長手方向に沿った挿入方向に直角であることを特徴とする、請求項１〜１０のいずれかに記載の自動車用装置。
【請求項１２】
盗難防止機能の一部またはすべてが、データ処理によって実行され、かつデータ媒体に含まれるデータ処理のデータの一部が、自動車の正式なユーザーまたは正式なユーザーのグループを示していることを特徴とする、請求項１〜１１のいずれかに記載の自動車用装置。
【発明の詳細な説明】
【０００１】
【発明の属する技術分野】
本発明は、剛性または半剛性データ媒体と、データ交換デバイス、特に媒体に組み込まれたデータの読み取り器との間で、データを交換するための装置に関する。
【０００２】
より詳細には、本発明は、例えば全体が長方形をしたカード、またはバッジ状のデータ媒体が、車両のユーザーを識別するデータを記憶しており、ユーザーが、自分のバッジを読み取りデバイスに挿入すると、ユーザーが自動車のエンジンを始動させて、車両の使用を可能とするよう、自動車に取り付けられるようになっている装置に関する。
【０００３】
【従来の技術】
データ媒体が、剛性または半剛性カードであり、このカードが、電気的接点またはデータ交換用アンテナにより、デバイスの読み取り手段に接続される、例えば集積回路またはチップを含む装置の例は、多数知られている。
【０００４】
デバイス内にバッジまたはカードを挿入する際、カードは、ユニット内のハウジングに手動で挿入され、このユニットで、データ媒体は所定のアクティーブ位置を占めるようになっている。カードまたはバッジが挿入されるデバイスは、データ交換を正しく行うことができるように、このデータ媒体を、ユニット内のアクティーブ位置に長手方向に保持するための手段を含んでいる。
【０００５】
最も広く普及している構成では、この保持手段は、簡単なブレーキから成っている。すなわち、カードの側方エッジ、または広い面と摩擦によって協働する弾性的に変形可能なタブが設けられている。
【０００６】
【発明が解決しようとする課題】
読み取りデバイス内にデータ媒体を保持する手段のかかる構造は、自動車で使用する場合、完全に満足できるものとは言えない。その理由は、自動車が走行する際、デバイスはかなりの振動を受け、この振動によって、データ媒体が徐々に放出されるか、少なくともアクティーブ位置、いわゆる読み取り位置からずれてしまうことがあるからである。
【０００７】
更に自動車に使用する場合、データ媒体をアクティーブ位置に保持できるようにするだけでなく、所定の車両の利用状況下で不適当なときに、ドライバーまたは乗員が、読み取りデバイスからデータ媒体を引き抜くことができないようにすることにより、データ媒体を、ロックコマンドに応答して、このアクティーブ位置に固定し、データ媒体をロックする必要がある。
【０００８】
かかる装置の使用をより便利にするために、データ媒体のデバイスへの挿入、またはデバイスからの取り出しを補助する装置を設けることが、従来提案されている。
【０００９】
この目的のために、デバイスにモータ駆動スライドを設け、このスライドに手動でカードを挿入し、次に、カードが挿入される休止位置と、スライドがカードを読み取り手段に対向させるアクティーブな読み取り位置との間で、モータ駆動スライドを電気的に移動させることが既に提案されている。
【００１０】
しかし、かかる構造は複雑で、扱いにくく、自動車で利用するよう組み込むには適していない。
【００１１】
放出を補助する手段を設ける見地から、ユーザーが、挿入時にエネルギーを蓄積する復帰スプリングに抗して作動させ、操作された係止手段により、カードをアクティーブ位置に固定し、カードの抽出を補助するよう、予め応力が加えられ、スプリングがエネルギーを回復し、ユニット内のハウジングからカードを完全に放出するまで、補助を続けることができるようにした多数の例も提案されている。
【００１２】
かかる構造は、カードの挿入終了時にかなりの力を必要とするか、または弾性復帰手段により、カードに加わる力に抗して係止する手段が自動車用に適していない限り、完全に満足できるものとは言えない。その理由は、車両を運転した際に、振動によりこれら手段がトリガーされ、危険で、かつ適当でない時に、カードを放出してしまうという危険性があるからである。
【００１３】
上記欠点を克服するために、フランス国特許願第98/07250号では、剛性または半剛性データ媒体とデータ交換デバイス、特に所定のアクティーブ位置を占めるユニット内のハウジングへ、ほぼカード状をした媒体を手で挿入するようになっているユニットを含むタイプの、媒体内に記憶されたデータの読み取り器との間でデータを交換するための装置であって、前記データ交換デバイスが、データ媒体をユニット内の長手方向に沿うアクティーブ位置に保持するための手段を含み、該保持手段が、支持体を固定するためのレバーと、前記データ媒体を固定する回転角方向の位置に固定レバーをロックするようになっている電磁石とを備え、電磁石の可動コアプランジャーが、第１の自由端を介して、ロックフィンガーを構成し、該ロックフィンガーが、ケーシングから電磁石を突出させ、固定レバーの一部に対向するように伸長させ、固定レバーが、固定位置からデータ媒体をユニットから取り出すことができる後退位置へ回転しないように防止できるタイプの、データを交換するための装置が、すでに提案されている。
【００１４】
電気的な故障が生じた場合、特に電磁ロックの可動コアプランジャーが、固定レバーをロックする位置に弾性的に復帰していると、データ媒体を手動で取り出すことは不可能となる。
【００１５】
【課題を解決するための手段】
この欠点を解消するために、本発明は、固定レバーを手動でアンロックするための部材を備え、前記固定レバーが、電磁石の可動コアプランジャーに作用して、ロックフィンガーを後退させ、よって、固定レバーを解放するようになっていることを特徴とする、上記タイプの装置を提案するものである。
【００１６】
本発明の他の特徴は、次のとおりである。
・アンロック部材は、ユニットの固定軸線を中心として枢動できるように取り付けられたアンロックレバーとなっており、このアンロックレバーは、ラジアル作動アームを含み、この作動アームの自由端に手動で作用させ、可動プランジャーが自由に移動できる休止位置から、アンロック位置へとアンロックレバーを回転させることができ、前記アンロック部材は、ラジアルアンロックアームを備え、アンロックレバーが、休止位置からアンロック位置まで枢動したときに、可動コアプランジャーを移動するように、このアンロックアームの自由端は、電磁石の可動コアプランジャーの一部と協働できるようになっている。
【００１７】
・アンロックレバーは、休止位置に弾性的に復帰するようになっている。
【００１８】
・アンロックレバーは、復帰アームを含み、アンロックレバーがその休止位置からアンロック位置に枢動するときに、前記復帰アームは弾性的に屈曲でき、その自由端は、ユニットに対して固定されている。
【００１９】
・アンロックレバーの枢動軸線に対して直交する方向に、ユニットに対してスライドできるように取り付けられたアンロックプッシュロッドを備え、アンロックプッシュロッドの自由端は、作動アームの自由端と協働し、アンロックプッシュロッドの第２端部によって、プッシュロッドに手動で作用させることができるようになっている。
【００２０】
・アンロックプッシュロッドの第１端部は、作動アームの自由端に接続されており、前記作動アームは、関節接続ヒンジを形成する可撓性接続タブによって、アンロックレバーを作動させるようになっている。
【００２１】
・アンロックプッシュロッドは、その自由端の近くにストッパー手段を含み、該ストッパー手段は、作動アームに属す対向する部分と協働し、固定レバーをアンロックする方向へのプッシュロッドのアクティーブな走行を制限するようになっている。
【００２２】
・レバーとアンロックプッシュロッドとは、プラスチック成形により、単一の一体的な部品に形成されている。
【００２３】
・アンロックアームの自由端は、電磁石の可動コアプランジャーの第２自由端に形成されたストッパーと協働する。
【００２４】
・アンロックアームは、電磁石の可動コアの運動軸線とほぼ直角な方向に延びており、作動アームは、運動軸線にほぼ平行である。
【００２５】
・固定レバーの枢動軸線は、データ媒体の長手方向に沿った挿入方向の存在する平面に平行であり、かつ電磁石の可動コアプランジャーが移動する方向に平行であり、アンロックレバーの枢動軸線は、前記平面に直角である。
【００２６】
・固定レバーの枢動軸線は、データ媒体の長手方向に沿う挿入方向に直角である。
【００２７】
・盗難防止機能の一部またはすべてが、データ処理によって実行され、データ媒体に含まれるデータ処理のデータの一部は、自動車の正式なユーザーまたは正式なユーザーのグループを示す。
【００２８】
以下、添付図面を参照して、次の詳細な説明を読めば、本発明の上記以外の特徴および利点が明らかとなると思う。
【００２９】
【発明の実施の形態】
以下の説明では、発明の詳細な説明および特許請求の範囲を容易に理解できるようにするために、図１を参照して、「垂直」、「水平」、「上方」、「下方」、「前方」、「後方」などの用語を使用するが、これらすべての用語は、本発明の要旨を限定するものではない。
【００３０】
図面に示された本発明に係わる装置１０は、基本的には、データ媒体、すなわちバッジ１２と、ユニット１４とから成り、図には、このユニットの下方プレート１６およびカバー１７の輪郭が示されている。
【００３１】
本例におけるバッジ１２は、全体として長方形をなし、厚さの薄い剛性要素であり、この剛性要素は、後方の長手方向エッジ（図示せず）の近くで取り扱いを可能にし、特に全面に対して平行にスライドできるようにするための、グリップ部分を有する。
【００３２】
バッジ１２はデータ媒体であり、このバッジは、長手方向、すなわち、広い上方面１８と下方面２０の全面に対して平行な方向に沿ってユニット１４へ挿入することができ、かつ逆方向に、このユニットから取り出すことができるようになっている。
【００３３】
ユニット１４内でバッジ１２がスライドするのをガイドするための手段は、全体として公知の構造であり、図には示されておらず、ここで詳細には説明しない。
【００３４】
図から判るように、バッジ１２は、その前方部分で、かつ前方横方向エッジ２２の近くに、長方形の輪郭をしたウィンド２４を有し、このウィンドー２４の辺は、バッジ１２の辺に対して平行となっている。
【００３５】
このウィンド２４は、バッジ内で垂直に延び、これを直角に貫通している。
【００３６】
ウィンドー２４は、本発明の実施例では固定ウィンドである。すなわち、ユニット１４によって支持された固定部材を収容するようになっている。次にこの固定部材について、図を参照して説明する。
【００３７】
バッジ１２をアクティーブ位置に固定するための部材は、固定レバー３４に属す固定アーム３２の自由端に形成された固定フィンガー３０であり、固定レバー３４は、方向Ｉに対して直角であり、かつこの方向Ｉを含む平面に対して平行、すなわちデータ用媒体を形成するバッジ１２の全面に平行な横方向軸線Ａを中心として、ユニットに対して枢動できるようになっている。
【００３８】
従って、レバー３４の枢動軸線Ａは、固定されており、固定レバー３４は、回転角方向の２つの端部位置の間で、この軸線を中心として両方向に枢動できるようになっている。これら２つの回転角方向の位置は、２つの安定な位置であり、固定レバー３４は、双安定復帰スプリング３６により、弾性的にこれら２つの位置の各々に、回転角の方向に復帰するようになっている。
図に示す実施例では、スプリング３６は、全体としてヘアピン状をなす曲げられたワイヤスプリングである。
【００３９】
図に示されていない、双安定スプリング３６の１つの安定位置は、固定レバー３４の第１の後退安定位置を構成し、この後退安定位置では、固定フィンガー３０が後退、すなわちバッジ１２が移動する平面に向くようには延びず、当然ながら、固定ウィンドー２４内にも延びない。
【００４０】
図１から理解できるように、固定レバー３４は、操作フィンガー６０をも含み、この操作フィンガー６０は、その背面６４を介し、固定レバーがバッジ１２の前方横方向エッジ２２とカム状に協働できるように固定レバー３４に属す操作アームの自由端に形成されている。
この装置は、固定レバー３４を安定固定位置にロックするための手段も備えている。
【００４１】
図示の実施例では、ロック手段は、電磁石７０として示されており、全体がロッド状をしたこの電磁石のコアプランジャー７１は、ロックフィンガー７２状をした第１自由端を有し、このロックフィンガー７２は、通常、電磁石７０の本体内に一部が後退しており、図１に示されたロック位置では、横方向の外側に、すなわち固定レバー３４の関節接続軸線Ａに対して平行な方向に突出し、固定レバー３４の本体の横方向延長部７４に向くように延び、ユニットからバッジを取り出すため、バッジの解放に対応する方向に固定レバー３４が枢動するのを防止している。
図１および図２に示された回転角方向の安定な固定位置では、固定位置から後退位置へ向けて、固定レバー３４を枢動させることはできない。
【００４２】
データ読み取り、および交換デバイスからバッジ１２を取り出したいときは、まず最初の過程として、ロックフィンガー７２を後退させなければならない。このために、可動コアプランジャーの運動に対応する方向に電磁石７０を電気的に操作すると、ロッドは、図２において左側から右側へ移動する。
【００４３】
次に、図１および図２に示された位置からスタートした後に、ユーザーは、バッジ１２を長手方向の前方、すなわち図２において、下方に取り出す。
【００４４】
電磁石７０を作動させるには、特に固定レバー３４をアンロックするためには、主要電気回路およびその制御回路に給電しなければならない。
【００４５】
故障時、およびバッジ１２を手動で取り出すことができるようにするために、固定レバーを手動でアンロックするための手段が設けられている。
【００４６】
本発明に従えば、これらの手段は、固定レバー３４をアンロックするための手動制御レバー１００から成り、固定レバー３４は、電磁石７０の可動コアプランジャーに作用し、ロックフィンガー７２が固定レバーを後退、すなわち解放させる。
【００４７】
図から理解できるように、アンロックレバー１００は、平面１６に対して直角、従ってバッジ１２の平面、かつ挿入方向Ｉおよび固定レバー３４の枢動軸線に直角な幾何学的軸線Ｂを中心として、双方向に枢動できるようになっている。
【００４８】
図示の装置では、アンロックレバー１００の枢動軸線Ｂは、電磁石７０のロッド状の可動コアプランジャー７１が移動する軸線に対しても直交している。
【００４９】
アンロックレバー１００は、基本的には３本のラジアルアーム、すなわち作動アーム１０２と、アンロックアーム１０４と、弾性復帰アーム１０６とから成り、これらのアームは、回転角方向にほぼ直角に広がり、これらアームのいずれも、アンロックレバー１００の中心本体１０８から放射状に延びており、アンロックレバー１００は、このアンロックレバーが枢動自在に取り付けられるよう、プレート１６およびカバー１７の相補的部分１１２内に収納された連設部分１１０を含んでいる。
【００５０】
本例におけるアンロックアーム１０４は、電磁石７０のロッドの運動軸線に対してほぼ直角な方向に延び、そのテーパの付いた自由端１１４は、出磁石７０の可動コアプランジャー７１を形成するロッドの第２自由端部分７３に形成された溝１１６内に嵌合されている。プランジャー７１を形成するロッドは、電磁石の本体を軸方向に越えて、図で見た場合の右側、すなわち、ロックフィンガーを形成する第１自由端７２と反対方向に突出している。
【００５１】
溝１１６の軸方向の右側は、自由端カバー１１８によって境界が定められており、このカバー１１８は、アンロックアーム１０４の自由端１１４と協働できる横方向ストッパー表面１２０を定めている。
ラジアル弾性復帰アーム１０６は、アーム全体の方向に対して屈曲するという点で弾性的に変形自在な横断面の縮小されたアームとなっており、その自由端１２２は、プレート１６の上方延長部１２６に属す、開放スロット１２４に垂直方向に嵌合されている。
【００５２】
従って、この自由端１２２は、弾性復帰アーム１０６によって形成される曲げビームの自由端を組み込ませており、更に図１および図２に位置が示されているアンロックレバー１００の他の部分の回転角方向の休止位置も決定している。
【００５３】
図１および図２に示されている休止位置からスタートして、軸線Ｂを中心としてアンロックレバー１００を時計回り方向に回転させるために、ドライブアーム１０２の自由端１３０に作用する、手動でアンロックするためのプッシュロッド１２８が設けられている。
【００５４】
この目的のため、プッシュロッド１２８は、枢動軸線Ｂと直交し、固定レバー３４の関節接続軸線、および可動コアプランジャー７１の運動軸線Ａに直角な方向Ｄに、ユニット１４に対して、長手方向に沿ってスライドできるようになっている。
【００５５】
プッシュロッド１２８の第１の長手方向端部１３２は、ヒンジを構成する接続部、およびプッシュロッド１２８と作動アーム１２０との間の関節接続部を形成するエルボー状の薄いブレード１３４により、作動アーム１２０の自由端１３０に接続されている。
【００５６】
第１端部１３２は、ストッパーフィンガー１３６も含み、このストッパーフィンガー１３６は、図３から判るように、作動アーム１０２の自由端１３０のこのフィンガーに向いた部分と接触し、プッシュロッド１２８のアンロック方向へのアクティーブな走行を制限するようになっている。
【００５７】
プッシュロッド１２８は、そのロッド状の第２の長手方向の端部１３８により、方向Ｄにスライドするようガイドされており、第２の長手方向端部１３８は、プレート１６に属するユニットの部分１４２内に設けられた対応する開放孔１４０内に嵌合されている。プレート１６には、バッジ１２を挿入するためのウィンド１４４も形成されており、このプレート１６は、前方横方向面１４６によって境界が定められている。
アンロックレバー１００が休止位置にあると、プッシュロッド１２８のロッド１３８の自由端１５０は、横方向面１４６の平面と同一面となる。
【００５８】
次に、固定レバー３４を手動でアンロックするためのレバー１００の作動について説明する。
図１および図２に示されたアンロックレバー１００が休止位置にあるとき、アンロックレバー１０４の自由端１１４は、可動コアプランジャー７１の第２端部７３の溝１１６に嵌合されており、コアプランジャー７１は、図２において左側から右側へ自由に移動でき、可動レバー３４をアンロックさせ、ロックフィンガ７２を形成する自由端を同じ方向に後退させることができる。
【００５９】
このアンロック動作は、通常は電磁石７０によって電気的に行われる。
電気的な故障が生じた場合、手動でアンロックレバー１００を作動させることができる。
【００６０】
この目的のために、図３に示すように、ユーザーは、例えば紙クリップの端部またはボールペンの先端のような細いロッド状の物体１４８を使って、アンロックプッシュロッド１２８のロッド１３８の自由端１５０を押す。
【００６１】
このように、ロッド１３８を押すと、ロッド１２８は、図２および図３における上方の方向Ｄにスライドさせられる。
【００６２】
アンロックプッシュロッド１２８のこのようなスライド運動は、ヒンジ１３４を介して、アンロックレバー１００の枢動運動に変換される。
従って、工具１４８を使ったロッド１３８を押す作用は、図２および図３においてアンロックレバー１００の時計回り方向の回転運動に変換される。
【００６３】
このような回転運動によって、アンロックアーム１０４の端部１１４も、同じ方向に回転され、可動コアプランジャー７１の第２端部７３のカラー１１８の当接面１２０と協働し、よって可動コアプランジャー７１をアンロック方向に移動させる。
このような左から右への運動は、ロックフィンガー７２で対応する運動を生じさせる効果がある。このロックフィンガー７２は、固定レバー３４の相補的な部分７４に対向して伸長しない、図３に示された位置にあり、固定レバー３４は、関節接続軸線Ａを中心として再度自由に枢動できるので、図３において下方にバッジ１２を手動で取り出すことができる。
【００６４】
アンロックレバー１００を時計回り方向に枢動させても、図３から判るように、復帰アーム１０６を屈曲させ、若干弾性的に変形させることができる。
ユーザーが、プッシュロッド１２８のロッド１３８を押す動作を解放すると、すぐに、復帰アーム１０６に蓄積されてきた弾性力によって、アンロックレバー１００は、図１および図２に示される休止位置へ自動的に復帰する。
【００６５】
これと対照的に、アンロックアーム１０４の自由端１１４は、溝１１６の軸方向長さのために可動コアプランジャー７１を軸方向に右から左へは駆動しないので、固定レバー３４は、自由に枢動できる状態のままである。
【００６６】
電気と電磁石７０の作動だけで、固定レバー３４を再びロック状態にすることもできる。
【００６７】
アンロックレバー１００は、簡単な１つのプラスチック成形品としたプッシュロッド１２８と共に、特に安価に製造することが好ましく、従ってヒンジ１３４は、アンロックレバー１００およびプッシュロッド１２８と一体的に製造できる。
【００６８】
本発明は、データ処理により盗難防止機能が完全または部分的に実行されるような車載用に特に利用できる。媒体またはバッジ１２に含まれるデータ処理のデータの一部は、車両の正式なユーザーまたは正式なユーザーのグループを表示する。
【００６９】
このデータ処理は、特に車両の正式な使用を可能にするために、バッジ１２に含まれるデータと車載メモリに記憶されたデータとを比較することを意図するものであり、データ処理回路は、盗難防止手段が公知のものであるかどうかとは関係なく、盗難防止手段、すなわち車両のステアリングコラムに作用する手段、または車両のエンジンのスタートを防止する手段、またはエンジンの作動を中止させる手段を、完全または部分的に制御するようになっている。
【図面の簡単な説明】
【図１】本発明に係わる装置の主要部品の一部を示す拡大略斜視図であって、データ媒体、すなわちバッジが固定レバーの固定フィンガーにより固定されたアクティーブな長手方向位置に示されており、固定レバーは、ロック用電磁石によってロックされており、他方、手動アンロック用のレバーは、休止位置にある図である。
【図２】図１に示された装置を、上から見た平面図である。
【図３】プッシュロッドを手動で作用させた後のアンロック位置にあるアンロックレバーを示す、図２と同様の図である。
【符号の説明】
１０    装置
１２    データ媒体またはバッジ
１４    ユニット
１６    下方プレート
１７    カバー
１８    上方面
２０    下方面
２２    エッジ
２４    ウィンドー
３０    固定フィンガー
３４    固定レバー
３６    復帰スプリング
６０    操作フィンガー
７０    電磁石
７１    コアプランジャー
７２    ロックフィンガー
７４    横方向延長部
１００    アンロックレバー
１０２    作動アーム
１０４    アンロックアーム
１０６    復帰アーム
１１０    関節接続部分
１１２    相補的部分
１１４    自由端
１１６    溝
１１８    自由端カバー
１２０    横方向ストッパー表面
１２２    自由端
１２４    開放スロット
１２６    上方延長部
１２８    プッシュロッド
１３０    自由端
１３２    長手方向端部
１３４    ブレード
１３６    ストッパーフィンガー
１３８    第２長手方向端部
１４０    開放孔
１４２    部分
１５０    自由端
【図１】
0004758528.tif 000002
【図２】
0004758528.tif 000003
【図３】
0004758528.tif 000004